(57)【要約】【課題】建築物の庭に面した部分のプライバシーを確保しつつ、庭を利用して近隣とのコミュニケーションがとりやすい住宅を提供する。【解決手段】住宅１００は、建築物１が庭３０に沿って配置された住宅であって、建築物１は、外部と庭３０との間に配置された風除室３と、外部と風除室３との間に開閉可能に設けられた外側建具３Ａと、風除室３と庭３０との間に開閉可能に設けられた内側建具Ｓ１と、風除室３に隣接する玄関４と、風除室３と玄関４との間に開閉可能に設けられて玄関建具４Ａと、を備えることを特徴とする。【選択図】図１
2017066648.tif 000002
【特許請求の範囲】
【請求項１】
建築物が庭に沿って配置された住宅であって、
前記建築物は、
外部と前記庭との間に配置された風除室と、
前記外部と前記風除室との間に開閉可能に設けられた外側建具と、
前記風除室と前記庭との間に開閉可能に設けられた内側建具と、
前記風除室に隣接する玄関と、
前記風除室と前記玄関との間に開閉可能に設けられて玄関建具と、を備えることを特徴とする住宅。
【請求項２】
前記建築物は、前記庭の三方を囲むように配置されていることを特徴とする請求項１に記載の住宅。
【請求項３】
前記建築物は、前記庭の四方を囲むように配置されていることを特徴とする請求項１に記載の住宅。
【発明の詳細な説明】
【技術分野】
【０００１】
本発明は、住宅に関するものである。
【背景技術】
【０００２】
一般に、住宅では、道路に面して庭を設けることで、庭で近隣住民とコミュニケーションをとることができる。しかしながら、密集地等では、道路に面して庭を設けることが難しく、庭の一部または全部を覆い隠すように建物が配置された住宅が採用されている。
【０００３】
例えば、庭を囲むように平面視コ字状に建物を建築して、庭の道路側に建物が配置された住宅が提案されている（下記特許文献１参照）。
【０００４】
また、庭を囲むように平面視ロ字状に建物を建築して、庭の周囲を建物で囲んだ住宅が提案されている（下記特許文献２参照）。
【先行技術文献】
【特許文献】
【０００５】
【特許文献１】特開平１１−５０６７８号公報
【特許文献２】特開２０００−２３０３２３号公報
【発明の概要】
【発明が解決しようとする課題】
【０００６】
しかしながら、上記の特許文献１に記載のように、庭の道路側に建物が配置されているため、庭に沿って設けられて通路の幅が狭い場合には、外部から庭に直接アクセスすることが困難であり、庭にアクセスする際には道路側の建物を経由する等しなくてはならない。このため、庭で近隣住民とコミュニケーションをとろうとする際には、住人のプライバシーが確保されにくいという問題点がある。
また、上記の特許文献２に記載のように、庭の周囲を建物で囲んだような密閉型の住宅においても、屋外空間である庭から外部に直接アクセスできないため、屋外空間である庭を利用して近隣とのコミュニケーションがとりづらいとい問題点がある。
【０００７】
そこで、本発明は、上記事情に鑑みてなされたものであり、住人のプライバシーを確保しつつ、庭で近隣とのコミュニケーションをとりやすい住宅を提供する。
【課題を解決するための手段】
【０００８】
上記目的を達成するために、本発明は以下の手段を採用している。
すなわち、本発明に係る住宅は、建築物が庭に沿って配置された住宅であって、前記建築物は、外部と前記庭との間に配置された風除室と、前記外部と前記風除室との間に開閉可能に設けられた外側建具と、前記風除室と前記庭との間に開閉可能に設けられた内側建具と、前記風除室に隣接する玄関と、前記風除室と前記玄関との間に開閉可能に設けられて玄関建具と、を備えることを特徴とする。
【０００９】
このように構成された住宅では、外部と庭との間に風除室が配置され、風除室には玄関が隣接し、風除室と玄関との間には玄関建具が設けられている。これにより、玄関から建築物の内部を、プライベートスペースとして利用することができる。また、外部と風除室との間には外側建具が設けられ、風除室と庭との間には内側建具が設けられている。よって、外部から庭にアスセスする際には、外側建具を開けて、風除室を通過し、内側建具を開けてアクセスでき、庭で近隣とコミュニケーションをとることができる。また、プライベートスペースを通過せずに庭にアクセスできるため、庭を近隣とのコミュニケーションの場として利用する際に、住人のプライバシーを確保することができる。
【００１０】
また、本発明に係る住宅では、前記建築物は、前記庭の三方を囲むように配置されていることが好ましい。
【００１１】
このように構成された住宅では、建築物は庭の三方を囲むように配置されていて、外部から建築物の庭に面した部分が見えにくいため、建築物の庭に面した部分のプライバシーを一層高めることができる。
【００１２】
また、本発明に係る住宅では、前記建築物は、前記庭の四方を囲むように配置されていてもよい。
【００１３】
このように構成された住宅では、建築物は庭の四方を囲むように配置されていて、庭には外部と直接面する部分がないため、建築物の庭に面した部分のプライバシーを一層高めることができる。
【発明の効果】
【００１４】
本発明に係る住宅によれば、建築物の庭に面した部分のプライバシーを確保しつつ、庭を利用して近隣とのコミュニケーションがとりやすい。
【図面の簡単な説明】
【００１５】
【図１】本発明の第一実施形態に係る住宅の一階平面図である。
【図２】本発明の第一実施形態に係る住宅の二階平面図である。
【図３】本発明の第二実施形態に係る住宅の一階平面図である。
【図４】本発明の第二実施形態に係る住宅の二階平面図である。
【発明を実施するための形態】
【００１６】
（第一実施形態）
本発明の第一実施形態に係る住宅について説明する。
図１は、本発明の第一実施形態に係る住宅の一階平面図である。図２は、本発明の第一実施形態に係る住宅の二階平面図である。
図１及び図２において、太線で示されている箇所は壁を示し、この太線間の細線で示されている箇所には窓や建具が設けられていることを示している。
【００１７】
図１に示すように、住宅１００は、道路Ｄ１に面して建築されている。住宅１００において、道路Ｄ１側と異なる三方には、図示しない近隣住宅が設けられている。住宅１００の一階では、建物（建築物）１の外部には設けられたポーチ２が設けられ、ポーチ２に面して風除室３が設けられている。ポーチ２と風除室３との間には、開閉可能な屋外用の引違戸（外側建具）３Ａが設けられている。引違戸３Ａには、外部からの通風が可能な開口（不図示）が設けられている。
【００１８】
風除室３では、床３Ｆは土足用の床材で施され、壁３Ｗ及び天井（不図示）は室内用の仕上げ材で施されている。
【００１９】
建物１には、風除室３に面して、建物１の一方側及び一方側に対向する他方側（図１に示す紙面左側及び右側）には、それぞれ玄関４，１４が設けられている。住宅１００は、玄関４から入って建物１の主に一階部分を利用する世帯と、玄関１４から入って建物１の主に二階部分を利用する世帯とが生活することができる二世帯住宅である。
【００２０】
風除室３と各玄関４，１４との間には、開閉可能な玄関ドア（玄関建具）４Ａ，１４Ａが設けられている。玄関ドア４Ａ，１４Ａは、屋内用のドアである。また、玄関ドア４Ａ，１４Ａは、玄関４，１４側に開く内開きまたは引き戸で構成されていることが好ましい。
【００２１】
一方の世帯用の建物部分では、玄関４に面して、玄関ホール５が設けられている。また、玄関ホール５に面して、リビング６Ａ、ダイニング６Ｂ及びキッチン６Ｃが並んだＬ・Ｄ・Ｋ６が設けられている。キッチン６Ｃの奥側（ダイニング６Ｂと反対側）には、廊下７が設けられている。廊下７に面して、トイレ８、洗面室９、納戸１０及び寝室１１が設けられている。洗面室９に隣接して、浴室１２が設けられている。
【００２２】
他方の世帯用の建物部分では、玄関１４に面して、玄関ホール１５が設けられている。また、玄関ホール１５に面して、階段１６が設けられている。
【００２３】
図２に示すように、二階では、階段１６の降り口に面してホール１７が設けられている。ホール１７に面して、主寝室１８、洋室１９、洋室２０及びリビング２１Ａ、ダイニング２１Ｂ及びキッチン２１Ｃが並んだＬ・Ｄ・Ｋ２１が設けられている。キッチン２１Ｃの奥側（ダイニング２１Ｂと反対側）には、廊下２２が設けられている。廊下２２に面して、トイレ２３、洗面室２４及び納戸２５が設けられている。洗面室２４に隣接して、浴室２６が設けられている。主寝室１８には、廊下２２からも出入りできるようになっている。
【００２４】
この住宅１００において、一階では、風除室３、玄関ホール５、Ｌ・Ｄ・Ｋ６、廊下７、寝室１１及び玄関ホール１５に囲まれるようにして、庭３０が設けられている。また、二階では、庭３０の上方の空間が吹抜け３１とされている。つまり、建物１は庭３０の四方を囲むように平面視ロの字状に配置されている。庭３０は、床３０Ｆがウッドデッキで仕上げられており、キッチン３１が設置されている。
【００２５】
風除室３と庭３０との間の壁Ｗ１には、開閉可能且つ人の出入りが可能なサッシ（内側建具）Ｓ１が設けられている。また、玄関ホール５と庭３０との間の壁Ｗ２には、サッシＳ２が設けられている。また、Ｌ・Ｄ・Ｋ６と庭３０との間の壁Ｗ３には、サッシＳ３が設けられている。また、寝室１１と庭３０との間の壁Ｗ４には、サッシＳ４が設けられている。これにより、採光が、庭３０を介して建物１内に効率的に取り込まれる。
【００２６】
この住宅１００では、住人は、ポーチ２から引違戸３Ａを開けて風除室３を通り、玄関ドア４Ａ，１４Ａを開けて玄関４，１４から建物１内に入る。このように、建物１の玄関ドア４Ａ，１４Ａより内部の空間を、住人のプライベートスペースとして利用することができる。また、ポーチ２と庭３０とを連通する風除室３を通り、サッシＳ１を開けて庭３０に入ることができる。よって、風除室３をパブリックスペースとして利用することで、庭３０を近隣とのコミュニケーションの場として活用することができる。
【００２７】
このように構成された住宅１００では、建物１における玄関ドア４Ａ，１４Ａより内部の空間を、住人のプライベートスペースとして利用できる。ポーチ２と風除室３との間には引違戸３Ａが設けられ、風除室３と庭３０との間にはサッシＳ１が設けられている。よって、外部から庭３０にアスセスする際には、引違戸３Ａを開けて、風除室３を通過し、サッシＳ１を開けてアクセスでき、土足のまま庭３０で近隣とコミュニケーションをとることができる。また、プライベートスペースを通過せずに庭３０にアクセスできるため、庭３０を近隣とのコミュニケーションの場として利用する際に、住人のプライバシーを確保することができる。
また、引違戸３Ａよりも内部に配置された風除室３には、自転車やベビーカー等を置くことができるため、盗難等の被害にあいにくい。また、これらの物が外部から目立たないため、景観を良好とすることができる。
【００２８】
また、玄関ドア４Ａ，１４Ａが庭３０よりもポーチ２側に配置されていて、外部から玄関４，１４への住人の動線を短くすることができるため、玄関４，１４へのアクセスがしやすい。
【００２９】
また、建物１は庭３０の四方を囲むように配置されていて、庭３０には外部と直接面する部分がないため、建物１の庭３０に面した部分のプライバシーを一層高めることができる。
【００３０】
また、風除室３に面した玄関ドア４Ａ，１４Ａは内開きであると、万が一不審者が侵入して玄関ドア４Ａ，１４Ａを開けようとしてする際には、住人は玄関ドア４Ａ，１４Ａを押して閉じようと対抗する。押す方は引く力よりも大きな力を発揮しやすいため、玄関ドア４Ａ，１４Ａは内開きとすることは防犯上好ましい。
また、玄関ドア４Ａ，１４Ａが内開き又は引き戸であると、風除室３側に玄関ドア４Ａ，１４Ａが開かないため、風除室３における利用することができる空間を大きく確保することができる。
【００３１】
また、各世帯の玄関４，１４が風除室３に面しているため、風除室３及び風除室３に面した庭３０を各世帯同士で共通で利用でき、世帯間のコミュニケーションの場として利用することができる。
【００３２】
また、玄関４，１４を２箇所設けても、屋外用の建具は引違戸３Ａのみであるため、屋内用の建具よりも高価な屋外用の建具の数を最小限に抑えることができるため、建具のコストを抑えることができる。
【００３３】
また、引違戸３Ａには外部から風除室３への通風可能な開口が設けられているため、外部からの風が風除室３、風除室３に面した庭３０及び建物１の庭３０に面した部分に導入される。よって、建物１内へ外気を導入しやすく、通気性を高めることができる。
【００３４】
（第二実施形態）
次に、本発明の第二実施形態に係る建物について、主に図３及び図４を用いて説明する。
なお、以下の実施形態、変形例において、前述した実施形態で用いた部材と同一の部材には同一の符号を付して、その説明を省略する。
【００３５】
図３は、本発明の第二実施形態に係る住宅の一階平面図である。図４は、本発明の第二実施形態に係る住宅の二階平面図である。
第一実施形態では建物１は庭３０の四方を囲むように平面視ロの字状に配置されているが、本実施形態では建物４１は庭７０の三方を囲むように平面視コの字状に配置されている。
【００３６】
図３に示すように、住宅１０１は、道路Ｄ２に面して建築されている。一階では、建物４１の外部には設けられたポーチ４２が設けられ、ポーチ４２に面して風除室４３が設けられている。ポーチ４２と風除室４３との間には、開閉可能な屋外用のドア（外側建具）４３Ａが設けられている。
【００３７】
建物４１には、風除室４３に面して、建物４１の一方側及び一方側に対向する他方側（図３に示す紙面左側及び右側）には、それぞれ玄関４４，５４が設けられている。
【００３８】
風除室４３と各玄関４４，５４との間には、開閉可能な玄関ドア（玄関建具）４４Ａ，５４Ａが設けられている。玄関ドア４４Ａ，５４Ａは、屋内用のドアである。
【００３９】
一方の世帯用の建物部分では、玄関４４に面して、玄関ホール４５が設けられている。また、玄関ホール４５に面して、リビング４６Ａ、ダイニング４６Ｂ及びキッチン４６Ｃが並んだＬ・Ｄ・Ｋ４６が設けられている。キッチン４６Ｃの奥側（ダイニング４６Ｂと反対側）には、廊下４７が設けられている。廊下４７に面して、トイレ４８、洗面室４９、納戸５０及び寝室５１が設けられている。洗面室４９に隣接して、浴室５２が設けられている。
【００４０】
他方の世帯用の建物部分では、玄関５４に面して、玄関ホール５５が設けられている。また、玄関ホール５５に面して、階段５６が設けられている。
【００４１】
図４に示すように、二階では、階段５６の降り口に面して、リビング５７Ａ、ダイニング５７Ｂ及びキッチン５７Ｃが並んだＬ・Ｄ・Ｋ５７が設けられている。Ｌ・Ｄ・Ｋ５７には、廊下５８が設けられている。廊下５８に面して、洋室５９、洋室６０、トイレ６１、洗面室６２及び主寝室６３が設けられている。洗面室６２に隣接して、浴室６４が設けられている。
【００４２】
この住宅１０１において、一階では、風除室４３、玄関ホール４５、Ｌ・Ｄ・Ｋ４６、廊下４７、寝室５１及び玄関５４に囲まれるようにして、庭７０が設けられている。
【００４３】
風除室４３と庭７０との間の壁Ｗ１１には、開閉可能且つ人の出入りが可能なドア（内側建具）Ｓ１１が設けられている。また、玄関ホール４５と庭７０との間の壁Ｗ１２には、サッシＳ１２が設けられている。また、Ｌ・Ｄ・Ｋ４６と庭７０との間の壁Ｗ１３には、サッシＳ１３が設けられている。また、寝室５１と庭７０との間の壁Ｗ１４には、サッシＳ１４が設けられている。
【００４４】
このような住宅１０１は、庭７０の建物４１に囲まれていない側７０Ｂに隣地が近接するように建築されることが多く、建物４１に囲まれていない側７０Ｂから庭７０にアクセスできないことがある。この場合でも、外部から庭７０にアクセスする際には、ドア４３Ａを開けて風除室４３を通過してドアＳ１１を開けてアクセスでき、土足のまま庭７０で近隣とコミュニケーションをとることができる。また、プライベートスペースを通過せずに庭７０にアクセスできるため、庭７０を近隣とのコミュニケーションの場として利用する際に、住人のプライバシーを確保することができる。
【００４５】
なお、上述した実施の形態において示した各構成部材の諸形状や組み合わせ等は一例であって、本発明の主旨から逸脱しない範囲において設計要求等に基づき種々変更可能である。
【００４６】
例えば、上記に示す実施形態の住宅では、建物が庭の四方または三方を囲むように配置されているが、本発明はこれに限られない。建物が庭の二方向に沿って配置された住宅や、建物が庭の一方向に沿って配置された住宅であってもよい。
【００４７】
また、上記に示す実施形態では、建物に玄関が２個設けられた二世帯住宅を例に挙げて説明したが本発明はこれに限られず、玄関が１個のみ設けられた単世帯住宅であってもよいし、玄関が３個以上設けられていてもよい。
【符号の説明】
【００４８】
１００，１０１…住宅
１，４１…建物（建築物）
２…ポーチ
３，４３…風除室
３Ａ…引違戸（外側建具）
３Ｆ…床
３Ｗ…壁
４，１４…玄関
４Ａ，１４Ａ…玄関ドア（玄関建具）
３０，７０…庭
４３Ａ…ドア（外側建具）
Ｓ１…サッシ（内側建具）
Ｓ１１…ドア（内側建具）
【図１】
2017066648.tif 000003
【図２】
2017066648.tif 000004
【図３】
2017066648.tif 000005
【図４】
2017066648.tif 000006